(57)【特許請求の範囲】
【請求項１】
電子デバイスであって、
活性領域及び不活性領域を有するディスプレイと、
前記ディスプレイにおける偏光子であって、前記活性領域及び前記不活性領域と重なり合う偏光子と、
前記偏光子における前記不活性領域内の無偏光窓であって、前記偏光子が偏光解消されたブリーチ部を含む無偏光窓と、
を備えることを特徴とする電子デバイス。
【請求項２】
前記偏光子は、ヨウ素及びポリビニルアルコールを含む
ことを特徴とする請求項１に記載の電子デバイス。
【請求項３】
前記無偏光窓と位置合わせされて装着される電子コンポーネントを更に備える
ことを特徴とする請求項１に記載の電子デバイス。
【請求項４】
前記無偏光窓を通じて光を受けるカメラを更に備える
ことを特徴とする請求項１に記載の電子デバイス。
【請求項５】
前記無偏光窓を通じて光を受けるロゴを更に備える
ことを特徴とする請求項４に記載の電子デバイス。
【請求項６】
前記ディスプレイは、カラーフィルタ層を含み、
前記ロゴは、前記カラーフィルタ層の表面に形成されている
ことを特徴とする請求項５に記載の電子デバイス。
【請求項７】
前記ロゴを覆う不透明マスク層を更に備える
ことを特徴とする請求項６に記載の電子デバイス。
【請求項８】
前記ディスプレイにおける薄膜トランジスタ層を更に備え、
前記不透明マスク層及び前記ロゴは、前記カラーフィルタ層と前記薄膜トランジスタ層との間に挿入される
ことを特徴とする請求項７に記載の電子デバイス。
【請求項９】
装置であって、
カラーフィルタ層と、
薄膜トランジスタ層と、
前記カラーフィルタ層と前記薄膜トランジスタ層との間に挿入される不透明インク層と、
第１及び第２の偏光子と、
を備え、
前記第１の偏光子は無偏光窓を含み、
前記無偏光窓は、前記第１の偏光子が偏光解消されたブリーチ部を含み、
前記不透明インク層は、前記無偏光窓と位置合わせされた開口部を有する
ことを特徴とする装置。
【請求項１０】
前記カラーフィルタ層及び前記薄膜トランジスタ層は、前記第１の偏光子と前記第２の偏光子との間に挿入され、
前記カラーフィルタ層は、外面及び内面を有し、
前記インク層の少なくとも一部は、前記内面上に形成される
ことを特徴とする請求項９に記載の装置。
【請求項１１】
前記無偏光窓及び前記開口部を通じて光を受けるカメラを更に備える
ことを特徴とする請求項１０に記載の装置。
【請求項１２】
装置であって、
カラーフィルタ層と、
薄膜トランジスタ層と、
前記カラーフィルタ層と前記薄膜トランジスタ層との間に挿入される不透明インク層と、
第１及び第２の偏光子と、
を備え、
前記カラーフィルタ層及び前記薄膜トランジスタ層は、前記第１の偏光子と前記第２の偏光子との間に挿入され、
前記カラーフィルタ層は、外面及び内面を有し、
前記インク層の少なくとも一部は、前記内面上に形成され、
前記第１の偏光子は無偏光窓を含み、
前記無偏光窓は、前記第１の偏光子が偏光解消されたブリーチ部を含み、
前記装置は、前記無偏光窓を通じて見ることができるロゴを更に備える
ことを特徴とする装置。
【請求項１３】
装置であって、
カラーフィルタ層と、
薄膜トランジスタ層と、
第１及び第２の偏光子と、
を備え、
前記カラーフィルタ層及び前記薄膜トランジスタ層は、前記第１の偏光子と前記第２の偏光子との間に挿入され、
前記カラーフィルタ層は、前記第１の偏光子と前記薄膜トランジスタ層との間に挿入され、
前記第１の偏光子は無偏光窓を含み、
前記無偏光窓は、前記第１の偏光子が偏光解消されたブリーチ部を含み、
前記装置は、
前記無偏光窓を通じて光を受けるイメージセンサと、
前記第１の偏光子と前記カラーフィルタ層との間に挿入される不透明マスク層と、
を備える
ことを特徴とする装置。
【請求項１４】
前記カラーフィルタ層は、凹部を定める部分を含み、
前記不透明マスク層は、前記カラーフィルタ層上の前記凹部に形成される
ことを特徴とする請求項１３に記載の装置。
【請求項１５】
前記不透明マスク層は、インクを含む
ことを特徴とする請求項１３に記載の装置。
【請求項１６】
前記不透明マスク層は、前記無偏光窓と位置合わせされた開口部を有する
ことを特徴とする請求項１３に記載の装置。
【請求項１７】
前記装置は、前記無偏光窓を通じて見ることができるロゴを更に備える
ことを特徴とする請求項１３に記載の装置。
【請求項１８】
装置であって、
カラーフィルタ層と、
薄膜トランジスタ層と、
第１及び第２の偏光子と、
を備え、
前記カラーフィルタ層及び前記薄膜トランジスタ層は、前記第１の偏光子と前記第２の偏光子との間に挿入され、
前記カラーフィルタ層は、前記第１の偏光子と前記薄膜トランジスタ層との間に挿入され、
前記第１の偏光子は無偏光窓を含み、
前記無偏光窓は、前記第１の偏光子が偏光解消されたブリーチ部を含み、
前記装置は、
前記無偏光窓を通じて光を受けるイメージセンサと、
前記第１の偏光子上の不透明マスク層と、
カバーフィルムと、
を備え、
前記カバーフィルムは、反射防止コーティング及びアンチグレアコーティングから構成されるグループから選択されたコーティングを含む
ことを特徴とする装置。
【請求項１９】
前記不透明マスク層は、前記カバーフィルムと前記第１の偏光子との間に挿入される
ことを特徴とする請求項１８に記載の装置。
【請求項２０】
前記第１の偏光子は、
第１及び第２のトリアセテートセルロース層と、
前記第１及び第２のトリアセテートセルロース層の間に挿入されるポリビニルアルコールフィルムと、
を含み、
前記不透明マスク層は、前記第１のトリアセテートセルロース層上に形成される
ことを特徴とする請求項１８に記載の装置。
【請求項２１】
前記コーティングは、前記反射防止コーティングである
ことを特徴とする請求項２０に記載の装置。
【請求項２２】
前記コーティングは、前記アンチグレアコーティングである
ことを特徴とする請求項２０に記載の装置。
【請求項２３】
前記不透明マスク層は、インクを含む
ことを特徴とする請求項１８に記載の装置。
【請求項２４】
装置であって、
カラーフィルタ層と、
薄膜トランジスタ層と、
第１及び第２の偏光子と、
を備え、
前記カラーフィルタ層及び前記薄膜トランジスタ層は、前記第１の偏光子と前記第２の偏光子との間に挿入され、
前記カラーフィルタ層は、前記第１の偏光子と前記薄膜トランジスタ層との間に挿入され、
前記装置は、前記第１の偏光子上の不透明マスク層を備え、
前記第１の偏光子は無偏光窓を含み、
前記無偏光窓は、前記第１の偏光子が偏光解消されたブリーチ部を含む
ことを特徴とする装置。
【請求項２５】
前記無偏光窓を通じて光を受けるカメラを更に備える
ことを特徴とする請求項２４に記載の装置。
【請求項２６】
前記無偏光窓を通じて見ることができるロゴを更に備える
ことを特徴とする請求項２４に記載の装置。
【請求項２７】
前記不透明マスク層は、前記無偏光窓と位置合わせされた開口部を有する
ことを特徴とする請求項２４に記載の装置。
【請求項２８】
カメラを更に備え、
前記カメラは、前記無偏光窓及び前記開口部を通じて光を受ける
ことを特徴とする請求項２７に記載の装置。
【発明の詳細な説明】
【技術分野】
【０００１】
本出願は、２０１０年１０月２９日に出願された米国特許出願第１２／９１６，４７４号への優先権を主張し、これらはその全体が参照によって本明細書に組み込まれる。
【０００２】
本発明は、電子デバイスに関し、特に、ポータブルコンピュータなどの電子デバイスのディスプレイ構造に関する。
【背景技術】
【０００３】
ポータブルコンピュータや携帯電話などの電子デバイスは、通常、ディスプレイを有する。ディスプレイを損傷から保護するために、多くのディスプレイは、カバーガラス層を備える。カバーガラス層は、電子デバイスの使用中にカバーガラス層の下方にあるディスプレイ構造を引っ掻き傷及び他の損傷から保護するのに役立つ。不透明境界領域を形成するために、カバーガラス層の下側に黒色インクのパターン層が形成される場合もある。不透明境界領域は、デバイスの内部部品を視界から隠す。黒色インク層には、カバーガラスの背後に装着されるカメラに対応する開口部が形成されてもよい。
【０００４】
電子デバイスメーカーはデバイスの小型化及び軽量化に努めており、大型で重いディスプレイ構造をディスプレイに組み込むような構成は容認されなくなっている。従って、ディスプレイからカバーガラス層を取り除くことが望ましい。しかしながら、見場の悪い内部部品を視野から隠しつつ、カメラなどの内部部品を適正に機能させるような配慮が必要である。
【０００５】
従って、ポータブルコンピュータや携帯電話などの電子デバイスのディスプレイ構造を改善することが望ましい。
【発明の概要】
【課題を解決するための手段】
【０００６】
ポータブルコンピュータ、携帯電話又は他の電子機器などの電子デバイスは、ディスプレイを有してもよい。ディスプレイは、デバイスのユーザに対して画像を提示する矩形の中央領域などの活性部分（ａｃｔｉｖｅ  ｐｏｒｔｉｏｎ）を有してもよい。ディスプレイの周囲部分のようなディスプレイの不活性部分（Ｉｎａｃｔｉｖｅ  ｐｏｒｔｉｏｎｓ）は、不透明マスク層を使用して隠されてもよい。不透明マスク層は、着色インクから形成されてもよい。
【０００７】
光を透過させるために、不透明マスク層に開口部が形成されてもよい。例えば、不透明マスク層の開口部を介してロゴ又は他の情報が見えてもよい。カメラ及び他の内部電子部品は、不透明マスク層の開口部を介して光を受光してもよい。
【０００８】
ディスプレイは、上部偏光子及び下部偏光子と、カラーフィルタ層と、薄膜トランジスタ層とを含んでもよい。不透明マスク層は、上部偏光子上に形成されてもよいし、上部偏光子とカラーフィルタ層との間に挿入されてもよいし、或いは、カラーフィルタ層と薄膜トランジスタ層との間に挿入されてもよい。
【０００９】
上部偏光子は、無偏光窓を有してもよい。無偏光窓は、偏光子中の偏光子材料をブリーチすることによって形成されてもよい。偏光子材料は、化学的にブリーチされてもよいし、或いは、偏光子材料を紫外線光で露光することによってブリーチされてもよい。カメラ窓は、不透明マスク層の開口部と位置合わせされてもよい。カメラは、画像光を受光するために、偏光子の無偏光窓及び不透明マスク層の開口部と位置合わせされてもよい。デバイスの外からロゴが見えるように、ロゴは、偏光子層の無偏光窓及び不透明マスク層の開口部と位置合わせされてもよい。センサや状態指示部などの電子デバイスの他の内部部品も、偏光子の無偏光窓及び不透明マスク層の開口部の下方に装着されてもよい。
【００１０】
本発明の更なる特徴、性質及び種々の利点は、添付の図面及び以下の好適な実施形態の詳細な説明から更に明らかになるだろう。
【図面の簡単な説明】
【００１１】
【図１】図１は、本発明の一実施形態に係るディスプレイ構造を有する例示的なポータブルコンピュータを示す斜視図である。
【図２】図２は、本発明の一実施形態に係るハンドヘルドデバイスを示す斜視図である。
【図３】図３は、本発明の一実施形態に係るディスプレイを有する電子デバイスを示す横断面側面図である。
【図４】図４は、本発明の一実施形態に係る例示的なディスプレイ構造を示す横断面側面図である。
【図５】図５は、本発明の一実施形態に係る電子デバイスディスプレイの偏光子を示す横断面側面図である。
【図６】図６は、ポータブルコンピュータの従来の液晶ディスプレイ（ＬＣＤ）モジュールを示す横断面側面図である。
【図７】図７は、本発明の一実施形態に係る内部デバイス構造を露出させる凹部が形成された偏光子層を有する例示的なディスプレイを示す横断面側面図である。
【図８】図８は、本発明の一実施形態に従って透明無偏光窓を形成するための処理の前の偏光子層を示す横断面側面図である。
【図９】図９は、本発明の一実施形態に従って偏光子をブリーチして偏光子に窓を形成するために偏光子の一部を紫外線光で露光している間の図８の偏光子を示す横断面側面図である。
【図１０】図１０は、本発明の一実施形態に係る内部デバイス構造と位置合わせされた透明無偏光（ブリーチ）窓を有する偏光子を示す横断面側面図である。
【図１１】図１１は、積層偏光子中のトリアセテートセルロース（ＴＡＣ）膜などの膜の透過率の変化を波長の関数として示す特性図である。
【図１２】図１２は、積層偏光子中のポリビニルアルコール膜などの膜の吸収率の変化を波長の関数として示す特性図である。
【図１３】図１３は、本発明の一実施形態に係る偏光子の面上にパターンマスク層を形成する前の偏光子を示す横断面側面図である。
【図１４】図１４は、本発明の一実施形態に係るパターンマスク層の形成後の図１４の偏光子層を示す横断面側面図である。
【図１５】図１５は、本発明の一実施形態に従って偏光子層内に無偏光領域を形成するためにパターンマスク層の上面に液体偏光解消剤を塗布する処理を示す図１４のマスク偏光子層の横断面側面図である。
【図１６】図１６は、本発明の一実施形態に従って偏光子層の化学的にブリーチされた無偏光窓の形成を完了するためにマスク層を除去した後の図１５の偏光子層を示す横断面側面図である。
【図１７】図１７は、本発明の一実施形態に係る無偏光窓を有する偏光子層と、開口部を有する不透明マスク層とを含むディスプレイ構造の形成に関連する例示的なステップを示すフローチャートである。
【図１８】図１８は、本発明の一実施形態に係る無偏光窓を有する偏光子と、カラーフィルタ層の内面に形成された不透明パターンマスク層とを有する例示的なディスプレイ構造を示す横断面側面図である。
【図１９Ａ】図１９Ａは、本発明の一実施形態に係る物理気相成長（ＰＶＤ）を使用してカラーフィルタ層の内面に印刷されたロゴ又は他の情報と位置合わせされた無偏光窓を有する偏光子を有する例示的なディスプレイ構造を示す横断面側面図である。
【図１９Ｂ】図１９Ｂは、本発明の一実施形態に係るロゴ上の不透明マスク層の形成後の図１９Ａのディスプレイ構造を示す横断面側面図である。
【図１９Ｃ】図１９Ｃは、本発明の一実施形態に係る薄膜トランジスタ層などの他のディスプレイ構造層にカラーフィルタ層及び偏光子層が接続された後の図１９Ｂのディスプレイ構造を示す横断面側面図である。
【図２０】図２０は、本発明の一実施形態に係る無偏光窓を有する偏光子と、カラーフィルタ層の外面に形成された不透明パターンマスク層とを有する例示的なディスプレイ構造を示す横断面側面図である。
【図２１】図２１は、本発明の一実施形態に係る無偏光窓を有する偏光子と、カラーフィルタ層の外面の凹部領域の中に形成された不透明パターンマスク層とを有する例示的なディスプレイ構造を示す横断面側面図である。
【図２２】図２２は、本発明の一実施形態に係る無偏光窓を有する偏光子と、トリアセテートセルロース層などの偏光子の層の上に形成され、且つ、トリアセテートセルロース層の外面とカバー膜の内面との間に挿入された不透明パターンマスク層とを有する例示的なディスプレイ構造を示す横断面側面図である。
【図２３】図２３は、本発明の一実施形態に係る無偏光窓を有する偏光子と、偏光子層の内面に形成された不透明パターンマスク層とを有する例示的なディスプレイ構造を示す横断面側面図である。
【発明を実施するための形態】
【００１２】
ノートブックコンピュータ、タブレットコンピュータ、携帯電話及び他の計算機器などの電子デバイスは、ディスプレイを備えてもよい。
【００１３】
ディスプレイを有するポータブルコンピュータ又は他の電子機器などの例示的な電子デバイスが図１に示される。図１に示すように、デバイス１０のディスプレイ１４は、筐体１２の上部筐体部分１２Ａに装着されてもよい。筐体１２は、筐体１２の一部又は全体が一体の材料（例えば、金属、プラスチック又は繊維複合材料）片から形成される一体構成から形成されてもよいし、接着剤、留め金具及び他の装着機構を使用して一体に組み立てられた複数の構造から形成されてもよい。例えば、筐体１２は、フレーム部材及び他の内部支持体から形成されてもよく、外部プレート、筐体側壁、ベゼル構造及び他の構造がそれらのフレーム部材及び内部支持体に装着される。
【００１４】
筐体部分１２Ａはディスプレイ１４を収納するために使用されてもよいため、筐体部分１２Ａはディスプレイ筐体と呼ばれてもよい。ディスプレイ筐体１２Ａは、ディスプレイ筐体１２Ａがヒンジ軸１６に関して筐体部分１２Ｂ（場合によっては本体ユニット又は筐体ベースと呼ばれる）に対して回転できるように、ヒンジ構造１８を使用して筐体本体１２Ｂに装着されてもよい。デバイス１０は、取り出し可能な媒体、データポート、キーボード２０などのキー、トラックパッド２４などの入力装置、マイクロホン、スピーカ、センサ、状態指示ランプなどに対応するポートを含んでもよい。
【００１５】
ディスプレイ１４は、活性部分及び不活性部分を有してもよい。ディスプレイ１４の活性部分２８Ａは、図１の破線２８Ｄによって境界を規定される矩形のような形状を有してもよい。ディスプレイ１４の不活性部分２８Ｉは、矩形のリング形状又は他の適切な形状を有してもよく、且つ、ディスプレイ１４の周囲に沿って境界を形成してもよい。活性部分２８Ａには、デバイス１０のユーザに対して画像を提示するために、液晶ダイオード画素又は他の活性画素構造などの画素アレイ要素が使用されてもよい。不活性部分２８Ｉには、一般に、画素要素がなく、この部分はユーザに提示される画像の形成には関与しない。見場の悪い内部部品を視界から隠すために、不活性部分２８Ｉの内部部品は、インク層などの不透明マスク層を使用してユーザの視界から隠されてもよい。
【００１６】
デバイス１０は、不活性デバイス領域２８Ｉに形成された部品を有してもよい。例えば、デバイス１０は、カメラ２２のようなカメラを有してもよい。カメラ２２は、ディスプレイ筐体１２Ａの内部に装着されてもよく、且つ、ディスプレイ１４の窓（カメラ窓と呼ばれることもある）を介して動作してもよい。
【００１７】
ロゴなどの情報構造２６がデバイス１０に装着されてもよい。情報構造２６は、デバイス１０のメーカーを示す商標ロゴ、印刷されたテキスト、商標を示すテキスト、意匠、個人情報（例えば、デバイス１０の所有者を示すＩＤ情報）などであってもよく、テキストとテキスト以外の情報との組み合わせから形成されてもよく、或いは、他の適切なコンテンツを含んでもよい。情報構造２６は、パターン化されたインク、パターン化された塗料、パターン化されたポリマー、パターン化された金属トレース又は他の適切な材料から形成されてもよい。
【００１８】
情報構造２６は、上部筐体１２Ａに装着されてもよい。例えば、情報構造２６は、上部筐体１２Ａの不活性ディスプレイ領域２８Ｉのディスプレイ１４の透明窓の下方に形成されてもよい。
【００１９】
図２は、ハンドヘルド電子デバイスに使用されてもよい例示的な構成を示す斜視図である。図２の電子デバイス１０は、例えば、携帯電話又は他のハンドヘルド電子機器であってもよい。図１のデバイス１０は、筐体１２を有してもよい。ディスプレイ１４は、デバイス１０の正面側の筐体１２の内部に装着されてもよい。ディスプレイ１４の活性部分２８Ａは、矩形の境界２８Ｄの内側に位置してもよい。ディスプレイ１４の不活性部分２８Ｉは、ディスプレイ１４の周囲に沿った境界を形成してもよい。筐体１２は、デバイス１０の周囲に沿って延出する（一例として）側壁を有してもよい。筐体１２の側壁構造は、金属、プラスチック、ガラス、セラミック、炭素繊維材料又は他の繊維系複合材料、他の材料、又は、それらの材料の組み合わせから形成されてもよい。筐体１２の後部は、金属、プラスチック、ガラス板又はセラミック板などの平坦な材料、繊維系複合材料、他の材料、又は、それらの材料の組み合わせから形成されてもよい。
【００２０】
デバイス１０は、筐体１２の側壁に開口部３４のような開口部を有してもよい。開口部３４は、マイクロホン用ポート及びスピーカ用ポート、ボタン部材を収容するための開口部、データポート及びオーディオジャックに対応する開口部などを形成するために使用されてもよい。１つ以上の開口部がディスプレイ１４の不活性領域２８Ｉに形成されてもよい。例えば、ボタン３２（例えば、メニューボタン）などのボタンに対応する１つ以上の開口部が不活性領域２８Ｉに形成されてもよい。更に、開口部３０のような開口部が不活性領域２８Ｉに形成されてもよい（例えば、イヤホンに対応するスピーカポートを形成するため）。
【００２１】
カメラ（一例として）などのデバイス１０の内部構造の上方に窓２２が形成されてもよい。デバイス１０のユーザがロゴ又は他の情報を見ることができるようにするために、必要に応じて、ロゴ情報（例えば、図１の情報構造２６を参照）などの情報の上に窓２２のような窓が更に形成されてもよい。
【００２２】
図１及び図２の例示的な電子デバイス構造は、単なる例である。適切なあらゆる電子デバイス１０がディスプレイ１４を備えてもよい。電子デバイス１０は、例えば、タブレットコンピュータ、腕時計型デバイス、ペンダント型デバイス、他の小型及び着用型デバイス、テレビ、コンピュータディスプレイ、付属品などを含んでもよい。
【００２３】
ディスプレイを有する電子デバイス（例えば、図２のデバイス１０のようなデバイス、図１のデバイス１０の一部など）の横断面端面図が図３に示される。図３に示すように、ディスプレイ１４は、ディスプレイ１４の外面が露出するように、筐体１２の内部に装着されてもよい。デバイス筐体１２は、プリント回路基板３６などのプリント回路基板を取り囲むために使用されてもよい。プリント回路基板３６は、ガラス繊維充填エポキシプリント回路基板（例えば、ＦＲ４）などの剛性プリント回路基板、導電トレースパターンを有するポリイミドのシートなどの可撓性誘電体から形成された可撓性プリント回路（「フレックス回路」）、剛性フレックス基板又は他の基板であってもよい。
【００２４】
部品３７などの電気部品は、基板３６などの基板に装着されてもよい。電気部品３７は、スイッチ、抵抗器、インダクタ、コンデンサ、集積回路、コネクタ、カメラ、センサ、スピーカ又は他のデバイス部品を含んでもよい。それらの部品は、基板３６に半田付けされてもよいし、他の方法により接続されてもよい。
【００２５】
ディスプレイ１４は、タッチスクリーンディスプレイであってもよい。図３のディスプレイ１４などのタッチスクリーンディスプレイは、容量性電極（例えば、酸化インジウムスズ電極などの透明電極）のアレイを含んでもよいし、他の接触感知技術に基づくタッチセンサアレイ（例えば、抵抗性タッチセンサ構造、音響タッチセンサ構造、圧電センサ及び他の力センサ構造など）を含んでもよい。ディスプレイ１４のタッチ構造は、ガラス層などの専用タッチセンサ構造で実現されてもよいし、他のディスプレイ機能に使用されているガラス層と同一のガラス層に形成されてもよい。例えば、タッチセンサ電極は、液晶ディスプレイ（ＬＣＤ）のカラーフィルタアレイ層、薄膜トランジスタ層又は他の層に形成されてもよい。
【００２６】
ディスプレイ１４は、一般的に、何らかの適切なディスプレイ構造から形成されてもよい。ディスプレイ１４として使用可能なディスプレイ構造は、例えば、液晶ディスプレイ（ＬＣＤ）構造、有機発光ダイオード（ＯＬＥＤ）構造、プラズマセル及び電子インクディスプレイ構造などである。以下では、ディスプレイ１４が液晶ディスプレイ（ＬＣＤ）構造から形成される構成を一例として説明する。これは単なる例である。一般的に、ディスプレイ１４は、何らかの適切なディスプレイ技術を使用して形成されてもよい。
【００２７】
図２のディスプレイ１４の横断面図が図４に示される。図４に示すように、ディスプレイ１４は、バックライトユニット３８などのバックライトユニット（ＢＬＵ）を含んでもよい。バックライトユニット３８の光４４は、光源３２から光導パネル５１に放射されてもよい。光源３２は、発光ダイオード（一例として）のアレイから形成されてもよい。反射体４９（例えば、白色ポリエステル）は、ディスプレイモジュール４０を介して、上方（外側）の方向４６に光４４を反射するために使用されてもよい。光学膜４８は、拡散層及び光コリメート層（一例として）を含んでもよい。
【００２８】
ディスプレイ１４及びディスプレイモジュール４０は、画素のアレイから画素光４３を発生する活性領域２８Ａを有してもよい。画素光４３は、活性領域２８Ａにおいて、デバイス１０のユーザが見ることができる画像を形成する。画像は、テキスト、グラフィックス又は他の画像情報を含んでもよい。ディスプレイ１４及びディスプレイモジュール４０の領域２８Ｉのような部分は、不活性であってもよい。領域２８Ｉは、図１に示すように、ディスプレイ１４及びディスプレイモジュール４０の一部を取り囲む形状（一例として）を有してもよい。不活性領域２８Ｉは、一般的には、活性画素を含まず、且つ、内部構造が見えないようにするための不透明マスク層を含んでもよい。バックライトユニット３８は、活性領域２８Ａと位置合わせされたフットプリントを有してもよいし、（図４に示すように）不活性領域２８Ｉの一部又は全体の下方に延出する縁部を有してもよい。
【００２９】
ディスプレイモジュール４０は、下部偏光子５０などの下部偏光子及び偏光子６２などの上部偏光子を含んでもよい。カラーフィルタ層６０と薄膜トランジスタ層５２との間に、液晶材料の薄い層５８（例えば、３〜５μｍ）が挿入されてもよい。
【００３０】
薄膜トランジスタ層５２は、ガラス又はプラスチックの層などの透明で平坦な基板の上に形成されてもよい。薄膜トランジスタ層５２の上面は、画素電極構造及び薄膜トランジスタ（破線５６の上方に回路網５４として示される）を含んでもよい。薄膜トランジスタ層５２の回路網は、デバイス１０のユーザに向けてディスプレイ１４に画像を表示するように制御可能な画素のアレイとして構成されてもよい。
【００３１】
カラーフィルタ層６０は、カラー画像を表示する能力をディスプレイ１４に与える着色フィルタ画素（例えば、赤色フィルタ要素、緑色フィルタ要素及び青色フィルタ要素）を含んでもよい。カラーフィルタ層６０は、ガラス基板又はプラスチック基板などの透明で平坦な基板を使用して形成されてもよい。
【００３２】
ディスプレイモジュール４０及びバックライトユニット３８には、必要に応じて、他の材料層が含まれてもよい。例えば、ディスプレイモジュール４０及びバックライトユニット３８は、タッチセンサ、複屈折補償膜などの光学膜の層、反射防止被膜、引っ掻き傷防止被膜、疎油性被膜、接着剤層などを形成するための１つ以上の材料層を含んでもよい。
【００３３】
上部（外側）偏光子６２及び下部（内側）偏光子５０などの偏光子は、一体に積層された複数の材料層から形成されてもよい。例示的な積層偏光子が図５の横断面側面図に示される。図５に示すように、偏光子６２（即ち、本実施形態では、上部偏光子）は、偏光子膜６８を有してもよい。偏光子膜６８は、延伸ポリビニルアルコール（ＰＶＡ）などの延伸ポリマーから形成されてもよく、ＰＶＡ層と呼ばれることもある。ヨウ素は、ヨウ素分子が延伸膜と整列して偏光子を形成するように、延伸ＰＶＡ膜の上に配置されてもよい。必要に応じて、他の偏光子膜が使用されてもよい。偏光子膜６８は、層６６と層７０との間に挟まれてもよい。層６６及び７０は、トリアセチルセルロース（ＴＡＣ）などの材料から形成されてもよく、ＴＡＣ膜と呼ばれることもある。ＴＡＣ膜は、ＰＶＡ膜を延伸状態に保持するのを補助し、且つ、ＰＶＡ膜を保護してもよい。必要に応じて、他の膜が膜６８に積層されてもよい。
【００３４】
コーティング層７２は、偏光子６２に所望の表面特性を与える１つ以上の材料膜から形成されてもよい。例えば、コーティング層７２は、アンチグレア（光拡散）特性、反射防止特性、引っ掻き傷防止特性、指紋付着防止特性及び他の所望の特性を偏光子６２に与える材料から形成されてもよい。コーティング層７２は、反射防止（ＡＲ）層（例えば、高屈折率層と低屈折率層とを交互に積層した構造から形成された膜）、アンチグレア（ＡＧ）層、反射／アンチグレア（ＡＲ／ＡＧ）層、疎油性層、引っ掻き傷防止被膜又は他のコーティング層などの１つ以上の材料層から形成されてもよい。それらの層は、互いに独立して作用する必要はない。例えば、コーティング層７２のアンチグレア膜は、偏光子６２に引っ掻き傷防止特性を与えるのに有効であってもよい。
【００３５】
必要に応じて、ディスプレイモジュール４０の上面（即ち、図４のカラーフィルタ６０）への偏光子６２の装着を補助するために、接着剤６４（例えば、光学的に透明な接着剤）などの接着剤の層が偏光子６２に形成されてもよい。偏光子６２の厚さは、約５０〜２００μｍ（一例として）であってもよい。
【００３６】
電子デバイスの内部にカメラを内蔵することが望まれる場合は多い。従来、カメラは、ディスプレイの不活性部分のカバーガラスの層の下方に装着される。このタイプの配置が図６に示される。図６に示すように、従来のデバイス構造７４は、カバーガラス７６を含んでもよい。カバーガラス７６は、活性領域と、不活性領域とを有するディスプレイと関連してもよい。例えば、図６のカバーガラス７６は、不活性ディスプレイ領域９８及び活性ディスプレイ領域１００と関連してもよい。
【００３７】
黒色インク層７８は、不活性領域９８のカバーガラス７６の下方に形成され、カメラ８６などの内部部品を視界から隠す。黒色インク層７８は、カメラ８６に対応する開口部８０を有する。動作中、画像からの光８２は、カバーガラス層７６及び開口部８０を通過してカメラ８６のレンズ８４に入射できる。ディスプレイモジュール９６は、活性領域１００の下方に装着される。ディスプレイモジュール９６は、カラーフィルタ層９２と、薄膜トランジスタ層９４と、上部偏光子９０と、シャーシ構造８８の内部に装着された他のＬＣＤ層とを含む。黒色インク層７８は、シャーシ構造８８を視界から隠す。
【００３８】
図４のディスプレイ１４の例示的な構造は、カバーガラス層を含まない。このタイプの構成において、ディスプレイ１４とは別の筐体の部分の下方に（即ち、ベゼル又は他の筐体構造のカメラ用開口部の下方に）カメラ及び他の内部構造を装着することが望ましい。必要に応じて、カメラ又は他の内部デバイス構造は、ディスプレイモジュールの一部分の下方に装着されてもよい。例えば、図７に示すように、内部構造１０２は、カラーフィルタ層６０の縁部の下方に装着されてもよい（一例として）。内部構造１０２は、カメラ（例えば、層６０を介して画像光を受光するカメラ）、層６０を介して光を受光するセンサ、ロゴ又は図１の構造２６などの他の情報の形状を有するパターン情報構造、状態指示器（例えば、層６０を介して光を放射する状態指示器素子）又はデバイス１０における他の適切な内部構造であってもよい。
【００３９】
偏光子６２は、内部構造１０２の動作と干渉する場合がある。例えば、内部構造１０２がカメラである場合、カメラのイメージセンサの上方に偏光子６２が配置されていると、光の強度が低下してしまうので、カメラの性能に悪影響が及ぶ。別の例として、内部構造１０２がロゴ又は他の情報を形成するパターン構造を含む場合、偏光子６２が存在することによってデバイス１０の外側から内部構造１０２を見ることが難しくなる。光センサ、状態指示器及び他の電子部品の動作も偏光子層６２の存在によって悪影響を受けることがある。
【００４０】
偏光子層６２によって起こりうる悪影響を最小限に抑える方法の１つは、カラーフィルタ層６０が露出されるように、偏光子層６２の一部を除去することある。偏光子層６２の一部は、カラーフィルタ層６０への偏光子層６２の装着後に除去されてもよいし、カラーフィルタ層６０への偏光子層６２の装着前に除去されてもよい。除去される偏光子層６２の部分は、円形の形状（例えば、カメラのレンズと位置合わせされた円形の開口部を形成するため）、矩形の形状（例えば、矩形の輪郭形状を有するロゴ又は他の情報を露出させるため）又は他の適切な形状を有してもよい。図７の例に示すように、偏光子６２は、偏光子６２と内部構造とが重なり合うのを避けるために、カラーフィルタ６０の縁部に沿った領域１０４において除去されてもよい。
【００４１】
図７に示すタイプの構成は、偏光子６２の端部に（即ち、偏光子６２と領域１０４との境界面に）段差を形成する場合がある。状況によっては、この段差が見えてしまうこともあり、偏光子６２がカラーフィルタ６０から剥離する場合もある。
【００４２】
段差が形成されることを避けるために、偏光子の光学的特性は、偏光子６２の一体の部分として段差のない無偏光窓を形成するように変更されてもよい。例えば、偏光子６２の一部は、偏光子層６２の偏光子材料をブリーチ（偏光解消）するのに適した強度及び波長の光に露光されてもよい。露光の後、露光されていない偏光子６２の部分は、偏光子層として作用する。偏光子６２の露光された部分は高い偏光特性を有していないため、透明窓として機能する。無偏光窓は、他の局所処理（例えば、偏光子６２を化学的にブリーチする液体にさらす処理など）を使用して偏光子６２に形成されてもよい。このタイプの構成を使用することによって、偏光子６２及びその無偏光窓領域は、段差を生じることなく、不活性ディスプレイ領域２８Ｉ（例えば、図１を参照）と滑らかに重なり合うことができる。
【００４３】
偏光子６２の局所領域に光を照射することによって偏光子６２をブリーチする例示的な方法が図８、図９及び図１０に示される。まず、偏光子層６２は、ブリーチ領域を含むことなく、偏光子材料の層から形成される（図８）。図９に示すように、光源１０６は、偏光子６２の表面の局所領域に入射する光１０８（例えば、紫外線光）を照射してもよい。光１０８は、フォーカス構成（例えば、レンズを使用する）、マスク（例えば、シャドーマスク又は偏光子６２の表面に形成されたパターンマスク層を使用する）、他の適切なマスク技術又はそれらの技術の組み合わせを使用して、局所的に照射されてもよい。偏光子６２の中に光１０８を局所的に照射することによって、偏光子６２の局所部分１１０は、偏光特性を失って窓１１２などの透明窓を形成する。
【００４４】
図１０に示すように、偏光子層６２は、内部構造１０２が窓１１２と位置合わせされるように、デバイスに装着されてもよい。窓１１０（例えば、偏光子６２の部分１１０）の材料は偏光させず、窓１１２は偏光子層６２の外面と内部構造１０２との間で光を自由に透過させる。
【００４５】
光１０８の強度及び波長は、窓１１２の透過率及び光学的透明度に悪影響を及ぼす光学的損傷を偏光子６２に与えることなく、偏光子６２を有効にブリーチするように選択されてもよい。例えば、図５の層６８などの配向ヨウ素分子のコーティングを有する延伸ＰＶＡ層から偏光子６２が形成されている場合、光１０８は、ＴＡＣ層６６及び７０などの隣接する層を損傷することなく、ヨウ素の結合を破壊することができる、或いは、結合破壊以外でＰＶＡ偏光子層を無配向状態にすることができるのが好ましい。図１１に示すように、ＴＡＣ層６６及び７０は、約３８０ｎｍ又は４００ｎｍを超える波長で十分な透過率を示してもよい。図１２は、波長が長くなるにつれてＰＶＡの吸収率（即ち、図５の層６８における吸収率）が減少することを示す。
【００４６】
ＴＡＣ膜６６及び７０の特性（図１１を参照）及びＰＶＡ膜６８の特性（図１２を参照）を考慮して、３８０〜４２０ｎｍの範囲内の波長又は他の波長を有する図９の光源１０６を動作させることによって、ＴＡＣ層６６及び６８の吸収率が過剰になることに起因するＴＡＣ層６６及び６８の損傷を生じることなく、ＰＶＡ層６８における偏光子の十分な崩壊が実現されてもよい。図１２の特性図に示すように、長波長は、偏光子６２をブリーチする効率では劣るが、ＴＡＣ層６６及び７０に吸収される確率も低く、ＴＡＣ層６６及び７０の透過率に悪影響を与える可能性が低い。紫外線光（４２０ｎｍ未満の波長又は４００ｎｍ未満の波長を有する光）は、一般的に、偏光子層６８を光ブリーチするのに十分であるが、必要に応じて、他のタイプの光が使用されてもよい。
【００４７】
光１０８の強度は、光の波長に基づいて調整されてもよい。例えば、光１０８が３８０〜４２０ｎｍの範囲の波長を有する状況（一例として）では、窓１１２を形成するために、約１０Ｊ／ｃｍ２〜１００Ｊ／ｃｍ２の（又は、１０Ｊ／ｃｍ２未満の、或いは、１００Ｊ／ｃｍ２を超える）線量が層６２に照射されてもよい。
【００４８】
偏光子層６２の無偏光窓１１２は、化学的処理によって形成されてもよい。一例として、図１３〜図１６に示すように、偏光子層６２にブリーチ液を塗布する方法を考える。図１３に示すように、偏光子層６２は、窓領域を含まなくてもよい。図１４のマスク層１１４などのマスク層は、偏光子層６２の表面に塗布されてもよい。マスク層１１４は、開口部１１６などの開口部を１つ以上含んでもよい。マスク層１１４は、フォトリソグラフィ技術を使用してパターニングされてもよい（例えば、マスク層１１４がフォトレジストなどの感光材料から形成される場合）し、パッド印刷、吹き付け、インクジェット印刷などによってパターニングされてもよい。開口部１１６は、偏光子６２に無偏光窓を形成するのに適する大きさ及び形状を有してもよい。図１５に示すように、マスク層１１４が形成された後、液体１１８などのブリーチ剤は、偏光子層６２の表面の開口部１１６の位置に蒸着されてもよい。液体１１８は、例えば、ＮａＯＨ、ＫＯＨなどの塩基であってもよいし、偏光子層６２の露出した部分の偏光を解消する他の物質であってもよい。図１６に示すように、マスク層１１４及び液体１１８（又は他の適切なブリーチ剤）の塗布及び除去の後、偏光子６２は、無偏光窓１１２を除く全ての領域において、偏光特性を維持してもよい。
【００４９】
偏光子６２をデバイス１０に組み付けている間、図１０の窓１１２に関連して説明したように、窓１１２は、カメラ、ロゴなどの情報構造又はデバイス１０における他の内部部品と位置合わせされてもよい。デバイス１０の見場の悪い内部部品を視野から確実に隠すために、デバイス１０には、１つ以上の不透明マスクが設けられてもよい。例えば、１つ以上の不透明マスク層は、図４のディスプレイモジュール４０の材料層のうち１つ以上の層に組み込まれてもよい。不透明マスク層は、黒色インク、他の（黒ではない）色（例えば、白色、銀色、灰色、赤色、青色）のインク、不透明ポリマー、金属層又は他の適切な不透明物質から形成されてもよい。モジュール４０において不透明マスク層が形成されてもよい位置は、例えば、偏光子６２の上面の位置Ｐ１、偏光子６２の下面の位置Ｐ２、カラーフィルタ層６０の上面の位置Ｐ３及びカラーフィルタ層６０の下面の位置Ｐ４などを含む。必要に応じて、マスク層は、それ以外の位置又はそれらの位置を組み合わせた複数の位置において使用されてもよい。
【００５０】
偏光子層６２に窓を形成し、且つ、不透明マスク層及びディスプレイモジュール構造を電子デバイスに形成することに関連する例示的なステップが図１７に示される。
【００５１】
ステップ１２０において、偏光子６２を形成するために、ＴＡＣ膜６６及び７０並びに偏光子層６８などの材料層が一体に積層されてもよい。例えば、ＰＶＡ層６８を延伸するために延伸ツールが使用されてもよく、且つ、層６６及び７０を層６８と積層するために積層ローラが使用されてもよい。ヨウ素は、偏光子に（例えば、層６８に）取り込まれてもよい。
【００５２】
必要に応じて、ステップ１２２の実行中に（即ち、ステップ１２４において、ダイプレス又は他の切断ツールを使用してＴＡＣシート及びＰＶＡシートをデバイスの大きさのパネルに分割する前に）、窓１１２が積層偏光子層に形成されてもよい。個別の偏光子のパネルを形成するための切断に続いて、偏光子は、カラーフィルタ層６０に積層されてもよい（ステップ１２６）。
【００５３】
もう１つの方法として、ステップ１２０の実行中に一体に積層されていた偏光子の層は、ステップ１３０の実行中に（即ち、ステップ１３２の実行中において、偏光子６２に窓１１２を形成する前に）、個別のパネルに切り離されてもよい。このタイプの処理の場合、ステップ１３２の間に窓１１２が形成される偏光子のパネルは、ステップ１２６において、カラーフィルタ層６０に積層されてもよい。
【００５４】
必要に応じて、ステップ１３０の実行中にデバイスの大きさのパネルに切断された偏光子は、窓１１２を形成する（ステップ１３６）前に、カラーフィルタ層６０に積層されてもよい（ステップ１３４）。
【００５５】
窓１１２を形成するために偏光子６２が処理されてカラーフィルタ層６０に装着される順序とは関係なく、偏光子６２及び他のディスプレイ構造は、ステップ１２８の実行中に、カメラ又は他の内部構造（例えば、図１０の構造１０２を参照）が窓１１２と位置合わせされる状態で装着されるように、デバイス１０に組み込まれてもよい。ステップ１２８の組み立て動作の前に又は組み立て動作中に、不透明マスク層は、ディスプレイ１４を形成する材料の層の上に形成されてもよい。例えば、インク又は他の不透明マスク材料のパターン層は、ディスプレイモジュール４０の位置Ｐ１、Ｐ２、Ｐ３及びＰ４（例えば、図４を参照）などの位置に形成されてもよい。パターンマスク層は、物理気相成長、パッド印刷、スクリーン印刷、吹き付け、浸漬、インクジェット印刷、シャドーマスク蒸着、フォトリソグラフィパターニング又は他の適切な蒸着技術及びパターニング技術を使用して形成されてもよい。不透明マスク層として使用できる材料は、例えば、金属、ポリマー、インク、塗料、着色接着剤、酸化物（例えば、金属酸化物）、繊維系複合材料などを含む。
【００５６】
図１８は、図４の位置Ｐ４などの位置でカラーフィルタ層６０の下方に不透明マスク層が形成されているディスプレイ構造を示す横断面側面図である。図１８に示すように、ディスプレイモジュール４０は、活性領域２８Ａと、不活性領域２８Ｉとを有してもよい。不透明マスク層１３８は、カラーフィルタ層６０の内面に形成されてもよい。不透明マスク層１３８は、開口部１４０などの開口部を形成するために、パターニングされてもよい。開口部１４０は、開口部１４０の一部又は全体が偏光子層６２の窓１１２と重なり合うような大きさ及び形状を有してもよい。これにより、窓１１２、カラーフィルタ６０、開口部１４０及び薄膜トランジスタ層５２を介して（一例として）、偏光子６２に隣接する内部構造１０２とモジュール４０の外側との間で光を透過させることができる。蒸着処理中、マスク層１３８の一部又は全ては、カラーフィルタ６０の既存の構造（例えば、クロム又は他の材料から形成され、且つ、カラーフィルタ６０のカラーフィルタ要素に対する遮光パターンを形成する際に使用される図１８の構造１４２などの構造）と重なり合う場合がある。必要に応じて、構造１４２の一部は、マスク層１３８などの層を形成する際に使用されてもよい。
【００５７】
図１８に示すように、内部構造１０２は、共通垂直軸１１４に沿って、窓１１２及びマスク開口部１４０と位置合わせされてもよい。構造１０２は、カメラ（イメージセンサ）、状態指示器、ロゴ又は他の印刷情報又はパターン情報などの情報構造、センサなどを含んでもよい。
【００５８】
図１９Ａ、図１９Ｂ及び図１９Ｃは、マスク層１３８が図４の位置Ｐ４などの位置に形成されている構成において、ロゴ又は他の情報を形成する情報構造などの内部構造１０２がカラーフィルタ層６０の下面にどのように形成されるかを示す。図１９Ａに示すように、構造１０２は、カラーフィルタ６０の下面に形成されてもよい。構造１０２は、例えば、偏光子層６２の窓１１２の下方に（即ち、構造１０２の輪郭が窓１１２の輪郭の内側に収まり、且つ、窓１１２が構造１０２と完全に重なり合うように）形成されてもよい。構造１０２は、インク、金属、塗料、ポリマー又は他の材料から形成されてもよく、且つ、物理気相成長（ＰＶＤ）又は他の適切な蒸着技術及びパターニング技術を使用して蒸着されてもよい。
【００５９】
カラーフィルタ層６０の内面への構造１０２の蒸着が終了した後、図１９Ｂに示すように、不透明マスク層１３８は、構造１０２の上に重なるように形成されてもよい。詳細には、黒色インク又は他の不透明マスク物質の層は、スクリーン印刷、インクジェット印刷、パッド印刷又は他の適切な蒸着技術を使用して、構造１０２（例えば、ＰＶＤロゴ）の上に重なるように形成されてもよい。不透明マスク層１３８は、ディスプレイ１４の不活性部分（例えば、図１の不活性部分２８Ｉを参照）を被覆してもよい。
【００６０】
図１９Ｃに示すように、構造１０２（例えば、ＰＶＤロゴ又は他の情報）の形成及びパターンマスク層１３８の形成に続いて、下部偏光子５０及び薄膜トランジスタ層５２を液晶材料５８、カラーフィルタ層６０及び上部偏光子６２の下方に装着することによって、ディスプレイモジュール４０が完成されてもよい。
【００６１】
図２０は、図４の位置Ｐ３などの位置（即ち、カラーフィルタ層６０の上面）に不透明マスク層１３８が形成された構成のディスプレイモジュール４０を示す横断面側面図である。図２０に示すように、偏光子６２は、内部構造１０２（例えば、ロゴ又は他の情報、カメラ、センサ又は他の電気部品など）と位置合わせされた無偏光窓１１２を備えてもよい。不透明マスク層１３８は、窓１１２及び構造１０２と位置合わせされた開口部１４０などの開口部を有してもよい。偏光子層６２は、接着剤１４８（例えば、約０．５〜０．６μｍの厚さの接着剤の層）を使用して、ディスプレイモジュール４０に装着されてもよい。不透明マスク層１３８の厚さは、約４０〜１２０μｍ（一例として）であってもよい。必要に応じて、平坦化層１４６は、不透明マスク層１３８の厚さに対応するのを補助するために、偏光子６２とカラーフィルタ層６０の上面との間に挿入されてもよい。平坦化層１４６は、エポキシ又は他の接着剤（例えば、接着剤１４８の一部）、塗料ガラス、ポリマー又は他の透明材料から形成されてもよい。不透明マスク層１３８は、白色インク、黒色インク、黒色ではない着色インク又は他の適切な不透明材料から形成されてもよい。
【００６２】
図２１の横断面側面図に示すように、必要に応じて、カラーフィルタ層６０は、凹部１５０などの凹部を備えてもよい。凹部１５０は、不透明マスク層１３８の厚さと同程度の深さ（厚さ）（例えば、一例として約４０〜１２０μｍ）を有してもよい。このタイプの構成において、不透明マスク層１３８（及び、必要に応じて、任意な充填材料１５２）は、不透明マスク層１３８（及び任意な充填材料１５２）の最も外側の面がカラーフィルタ層１６０の最も外側の面と同一又はほぼ同一の平面に位置するように、凹部１５０の中で削られてもよい。充填材料１５２は、接着剤（例えば、接着剤１４８の一部）、ポリマー又は他の適切な透明材料から形成されてもよい。
【００６３】
偏光子６２の上に（例えば、図４の位置Ｐ１に）不透明マスク層１３８が形成されるディスプレイモジュール４０に使用されてもよい例示的な構成の横断面側面図が図２２に示される。図２２に示すように、偏光子６２は、ＰＶＡ層６８などの偏光子層、ＴＡＣ層６６及び７０などのＴＡＣ層又は他の光学膜を含んでもよい。偏光子６２は、（例えば、接着剤を使用して）カラーフィルタ層６０に装着されてもよい。不透明マスク層１３８は、ＴＡＣ層７０の表面上に形成されてもよい。開口部１４０は、偏光子６２の窓１１２と位置合わせされてもよい。カバー膜７２は、（例えば、ディスプレイモジュール４０の最も外側の面を形成するために）ＴＡＣ層７０の外面に装着されてもよい。カバー膜７２は、反射防止層、アンチグレア層、引っ掻き傷防止層などの層を１つ以上含むカバー層であってもよい。カバー膜７２は、１つ以上の膜ロールから供給されてもよく、接着剤１５４を使用してＴＡＣ層７０に装着されてもよい。このタイプの構成において、不透明マスク層１３８は、不透明マスク層１３８が印刷処理中又は他の不透明マスク蒸着処理中（一例として）に偏光子パネルに直接的に位置合わせされるため、相対的に高い許容差で（例えば、０．１〜０．４ｍｍまでの許容差で）偏光子６２を形成する材料のパネルと位置合わせされてもよい。必要に応じて、不透明マスク層１３８は、カバー膜７２が偏光子６２に装着される前に、カバー膜７２の下面に蒸着されてもよい。
【００６４】
図２３は、不透明マスク層１３８が窓１１２と位置合わせされた状態で偏光子６２の下面にどのように形成されるかを示すディスプレイモジュール４０の例示的な構造の横断面側面図である。接着剤６４は、偏光子６２が方向１５６に移動される場合に、偏光子６２をカラーフィルタ層６０に装着するために使用されてもよい。不透明マスク層１３８の厚さに対応するのを補助するために凹部がカラーフィルタ層６０に設けられてもよいし、平坦化材料の層が偏光子６２とカラーフィルタ６０との間に挿入されてもよいし、偏光子６２がカラーフィルタ６０に確実に装着されるように他の処理動作が実行されてもよい。
【００６５】
１つの実施形態によれば、活性領域と、不活性領域とを有するディスプレイと、ディスプレイに配置され、且つ、活性領域と不活性領域とが重なり合う偏光子と、偏光子の不活性領域の中に配置され、且つ、偏光子の材料を含む無偏光窓とを含む電子デバイスが提供される。
【００６６】
別の実施形態によれば、偏光子は偏光材料の層を含み、且つ、無偏光窓は偏光材料の層のブリーチ部分を含む。
【００６７】
別の実施形態によれば、偏光子は偏光材料の層を含み、且つ、無偏光窓は偏光材料の層の紫外線光ブリーチ部分を含む。
【００６８】
別の実施形態によれば、偏光子層はヨウ素を含み、且つ、偏光材料の層はポリビニルアルコールの層を含む。
【００６９】
別の実施形態によれば、偏光子層は偏光材料の層を含み、且つ、無偏光窓は偏光材料の層の化学的ブリーチ部分を含む。
【００７０】
別の実施形態によれば、偏光子はヨウ素を含み、且つ、偏光材料の層はポリビニルアルコールの層を含む。
【００７１】
別の実施形態によれば、電子デバイスは、無偏光窓と位置合わせして装着された電子部品を更に含む。
【００７２】
別の実施形態によれば、電子デバイスは、無偏光窓を介して光を受光するカメラを更に含む。
【００７３】
別の実施形態によれば、電子デバイスは、無偏光窓を介して光を受光するロゴを更に含む。
【００７４】
別の実施形態によれば、ディスプレイはカラーフィルタ層を含み、且つ、ロゴはカラーフィルタ層の上の材料を含む。
【００７５】
別の実施形態によれば、電子デバイスは、ロゴを被覆する不透明マスク層を更に含む。
【００７６】
別の実施形態によれば、電子デバイスは、ディスプレイ中に薄膜トランジスタ層を更に含み、不透明マスク層及びロゴは、カラーフィルタ層と薄膜トランジスタ層との間に挿入される。
【００７７】
１つの実施形態によれば、カラーフィルタ層と、薄膜トランジスタ層と、カラーフィルタ層と薄膜トランジスタ層との間に挿入された不透明インク層とを含む装置が提供される。
【００７８】
別の実施形態によれば、装置は、第１の偏光子と、第２の偏光子とを更に含み、カラーフィルタ層及び薄膜トランジスタ層は、第１の偏光子と第２の偏光子との間に挿入され、カラーフィルタ層は、外面と、内面とを有し、インク層の少なくとも一部は、内面上に形成される。
【００７９】
別の実施形態によれば、第１の偏光子は無偏光窓を含み、且つ、不透明インク層は無偏光窓と位置合わせされた開口部を有する。
【００８０】
別の実施形態によれば、装置は、無偏光窓及び開口部を介して光を受光するカメラを更に含む。
【００８１】
別の実施形態によれば、第１の偏光子は無偏光窓を含み、且つ、装置は無偏光窓を介して見ることができるロゴを更に含む。
【００８２】
１つの実施形態によれば、カラーフィルタ層と、薄膜トランジスタ層と、第１の偏光子及び第２の偏光子であって、カラーフィルタ層及び薄膜トランジスタ層が第１の偏光子と第２の偏光子との間に挿入され、且つ、カラーフィルタ層が第１の偏光子層と薄膜トランジスタ層との間に挿入される第１の偏光子及び第２の偏光子と、第１の偏光子とカラーフィルタ層との間に挿入された不透明マスク層とを含む装置が提供される。
【００８３】
別の実施形態によれば、カラーフィルタ層は凹部を規定する部分を含み、且つ、不透明マスク層は凹部におけるカラーフィルタ層の上に形成される。
【００８４】
別の実施形態によれば、不透明マスク層は、インクを含む。
【００８５】
別の実施形態によれば、第１の偏光子は無偏光窓を含み、且つ、不透明マスク層は無偏光窓と位置合わせされた開口部を有する。
【００８６】
別の実施形態によれば、装置は、無偏光窓及び開口部を介して光を受光するカメラを更に含む。
【００８７】
別の実施形態によれば、第１の偏光子は無偏光窓を含み、且つ、装置は無偏光窓を介して見ることができるロゴを更に含む。
【００８８】
１つの実施形態によれば、カラーフィルタ層と、薄膜トランジスタ層と、第１の偏光子及び第２の偏光子であって、カラーフィルタ層及び薄膜トランジスタ層が第１の偏光子と第２の偏光子との間に挿入され、且つ、カラーフィルタ層が第１の偏光子と薄膜トランジスタ層との間に挿入される第１の偏光子及び第２の偏光子と、第１の偏光子の上の不透明マスク層とを含む装置が提供される。
【００８９】
別の実施形態によれば、装置は、カバー膜を更に含み、不透明マスク層は、カバー膜と第１の偏光子との間に挿入される。
【００９０】
別の実施形態によれば、偏光子は、第１のトリアセテートセルロース層及び第２のトリアセテートセルロース層と、第１のトリアセテートセルロース層と第２のトリアセテートセルロース層との間に挿入されたポリビニルアルコール膜とを含み、且つ、不透明マスク層は第１のトリアセテートセルロース層の上に形成される。
【００９１】
別の実施形態によれば、カバー膜は、反射防止被膜を含む。
【００９２】
別の実施形態によれば、カバー膜は、アンチグレア被膜を含む。
【００９３】
別の実施形態によれば、第１の偏光子は無偏光窓を含み、且つ、不透明マスク層は無偏光窓と位置合わせされた開口部を有する。
【００９４】
別の実施形態によれば、装置は、無偏光窓及び開口部を介して光を受光するカメラを更に含む。
【００９５】
別の実施形態によれば、第１の偏光子は無偏光窓を含み、且つ、装置は無偏光窓を介して見ることができるロゴを更に含む。
【００９６】
別の実施形態によれば、不透明マスク層は、インクを含む。
【００９７】
１つの実施形態によれば、偏光子層、カラーフィルタ層及び薄膜トランジスタ層を有するディスプレイと、ディスプレイが装着される筐体とを含み、偏光子層が少なくとも１つの無偏光窓を含むコンピュータが提供される。
【００９８】
別の実施形態によれば、コンピュータは、カメラ及びロゴを更に含み、少なくとも１つの偏光窓は、偏光子層に第１の無偏光窓及び第２の無偏光窓を含み、カメラは、第１の無偏光窓を介して光を受光し、且つ、ロゴは、第２の無偏光窓を介して見える。
【００９９】
１つの実施形態によれば、ヒンジによって結合された上部筐体構造及び下部筐体構造と、上部筐体構造に配置され、且つ、カラーフィルタ層、薄膜トランジスタ層及び少なくとも１つの偏光子層を含み、偏光子層は、偏光子層の一部を除去することによって形成された開口部を有するディスプレイと、上部筐体構造に配置され、且つ、偏光子層の開口部を介して光を受光するカメラとを含むポータブルコンピュータが提供される。
【０１００】
別の実施形態によれば、開口部は、カメラと位置合わせされた円形の開口部を含む。
【０１０１】
別の実施形態によれば、ディスプレイは、不活性境界領域によって取り囲まれた矩形の活性領域を有し、且つ、ディスプレイは、不活性境界領域に不透明マスク層を更に含む。
【０１０２】
別の実施形態によれば、不透明マスク層は、偏光子層の上面に形成される。
【０１０３】
別の実施形態によれば、不透明マスク層は、偏光子層の下面に形成される。
【０１０４】
別の実施形態によれば、不透明マスク層は、カラーフィルタ層の上面に形成される。
【０１０５】
別の実施形態によれば、不透明マスク層は、カラーフィルタ層の下面に形成される。
【０１０６】
別の実施形態によれば、不透明マスク層は、偏光子層の開口部と位置合わせされた開口部を有する。
【０１０７】
別の実施形態によれば、不透明マスク層は、偏光子層の少なくとも一部を被覆する。
【０１０８】
別の実施形態によれば、不透明マスク層は、偏光子層の上面に形成される。
【０１０９】
別の実施形態によれば、不透明マスク層は、偏光子層の下面に形成される。
【０１１０】
別の実施形態によれば、不透明マスク層は、カラーフィルタ層の上面に形成される。
【０１１１】
別の実施形態によれば、不透明マスク層は、カラーフィルタ層の下面に形成される。
【０１１２】
別の実施形態によれば、不透明マスク層は、カラーフィルタ層と薄膜トランジスタ層との間に挿入される。
【０１１３】
１つの実施形態によれば、ヒンジによって結合された上部筐体構造及び下部筐体構造と、上部筐体構造に配置され、且つ、カラーフィルタ層、薄膜トランジスタ層及び不透明層を含むディスプレイであって、不透明層がカラーフィルタ層と薄膜トランジスタ層との間に挿入され、不透明層がディスプレイの不活性周囲部分を視界から隠し、不透明層がディスプレイの周囲に沿った境界部に形成され、且つ、不透明層が開口部を有するディスプレイと、上部筐体構造に配置され、且つ、開口部を介して光を受光するカメラとを含むポータブルコンピュータが提供される。
【０１１４】
別の実施形態によれば、不透明層は、黒色インク層を含む。
【０１１５】
別の実施形態によれば、不透明層は、カラーフィルタ層の上面に形成される。
【０１１６】
別の実施形態によれば、不透明層は、カラーフィルタ層の下面に形成される。
【０１１７】
別の実施形態によれば、カラーフィルタ層は、カラーフィルタガラス基板を含む。
【０１１８】
以上の説明は、本発明の原理を例示しているにすぎず、本発明の範囲及び精神から逸脱することなく当業者により種々の変形を実施できる。
【図１】
0005997318.tif 000002
【図２】
0005997318.tif 000003
【図３】
0005997318.tif 000004
【図４】
0005997318.tif 000005
【図５】
0005997318.tif 000006
【図６】
0005997318.tif 000007
【図７】
0005997318.tif 000008
【図８】
0005997318.tif 000009
【図９】
0005997318.tif 000010
【図１０】
0005997318.tif 000011
【図１１】
0005997318.tif 000012
【図１２】
0005997318.tif 000013
【図１３】
0005997318.tif 000014
【図１４】
0005997318.tif 000015
【図１５】
0005997318.tif 000016
【図１６】
0005997318.tif 000017
【図１７】
0005997318.tif 000018
【図１８】
0005997318.tif 000019
【図１９Ａ】
0005997318.tif 000020
【図１９Ｂ】
0005997318.tif 000021
【図１９Ｃ】
0005997318.tif 000022
【図２０】
0005997318.tif 000023
【図２１】
0005997318.tif 000024
【図２２】
0005997318.tif 000025
【図２３】
0005997318.tif 000026